(57)【要約】      （修正有）【課題】補助者の洗髪作業を行い易くする。【解決手段】気体の出し入れによって膨脹収縮する気胴壁１と、該気胴壁１と連続して立設される頸部保持壁２と、これら気胴壁１及び頸部保持壁２の端部に亘って張設される底材３とからボウル状の洗髪流し部４が形成される折畳み洗髪器であって、前記気胴壁１の少なくとも前記頸部保持壁２と対向する先端壁部１ｄに、該気胴壁１の前記底材３側から反対側端部に向かって徐々に前記頸部保持壁２と離れるように傾斜する傾斜面部１ｆを形成することにより、先端壁部１ｄの傾斜面部１ｆに沿って補助者が腕を差し込むと、手首の関節を無理に曲げなくても、掌が自然に使用者の側頭部や後頭部と対向する。【選択図】図１
2011062293.tif 000002
【特許請求の範囲】
【請求項１】
気体の出し入れによって膨脹収縮する気胴壁と、該気胴壁と連続して立設される頸部保持壁と、これら気胴壁及び頸部保持壁の端部に亘って張設される底材とからボウル状の洗髪流し部が形成される折畳み洗髪器であって、
前記気胴壁の少なくとも前記頸部保持壁と対向する先端壁部に、該気胴壁の前記底材側から反対側端部に向かって徐々に前記頸部保持壁と離れるように傾斜する傾斜面部を形成したことを特徴とする折畳み洗髪器。
【請求項２】
前記傾斜面部が、前記洗髪流し部と対向する前記気胴壁の内面側と、該気胴壁の外面側とを、それぞれ別の柔軟シートで形成し、これら柔軟シートを部分的に貼り合わせることで形成されたことを特徴とする請求項１記載の折畳み洗髪器。
【請求項３】
前記頸部保持壁の端部に頸部嵌合窪み部を形成し、該頸部嵌合窪み部に沿って、気体の出し入れにより膨脹収縮する収縮するクッション部を一体形成したことを特徴とする請求項１又は２記載の折畳み洗髪器。
【請求項４】
前記気胴壁の前記頸部保持壁と隣り合う側壁部において排水口部を、前記頸部保持壁から該頸部保持壁の高さ寸法よりも離れた位置に設けたことを特徴とする請求項１、２又は３記載の折畳み洗髪器。
【発明の詳細な説明】
【技術分野】
【０００１】
本発明は、例えば寝たきりの人や病人など、自分で洗髪できない使用者に対し、使用者が寝たままの状態で補助者が洗髪を行う折畳み洗髪器に関する。
詳しくは、空気の注入により膨脹し、内部空気の排出により収縮する折畳み可能な洗髪器に関する。
【背景技術】
【０００２】
従来、この種の折畳み洗髪器として、気密性を有する柔軟シートにて膨脹，収縮可能に形成される側周壁と、該側周壁の下端全域にわたって張設される底布とでボウル状かつ平面馬蹄形状の洗髪流し部が形成され、該流し部と排水管を介して接続される汚水収容部が設けられ、前記側周壁の一部を頸部保持部とし、該頸部保持部には硬質板が併設されると共に、前記頸部保持部の上縁任意箇所から頸部嵌合窪みが凹状に形成され、その窪み前方の流し部内底上には枕部を設けたものがある（例えば、特許文献１参照）。
【先行技術文献】
【特許文献】
【０００３】
【特許文献１】実用新案登録第２５９２８８６号公報
【発明の概要】
【発明が解決しようとする課題】
【０００４】
しかし乍ら、このような従来の折畳み洗髪器では、側周壁において頸部保持部と対向する先端壁部が、底布に対して略垂直に立設されているため、洗髪流し部内で枕部に頭部を載せた使用者に対し、補助者が洗髪を行う際、腕を垂直な先端壁部に沿って差し入れ、手首の関節を略直角近くまで曲げなければ、使用者の頭部の下に手を入れることができず、洗髪作業が行い難いという問題があった。
このような洗髪姿勢では、補助者の顔が使用者の顔の真上になる位置まで接近する必要があるため、補助者の吐息を使用者が感じて不快感を与えるおそれがあるとともに、補助者が片手でシャワーなどを持ちながら洗髪を行う時には、お湯が使用者の顔にかかり易くなってしまうという問題があった。
また、頸部保持部内には、相似形状に形成した硬質板が併設され、頸部嵌合窪みに頸部が保持された際に、頸部嵌合窪みが硬質板の窪み部に接触することがないようにしている。
しかし、補助者が使用者の頭部を持ち上げ、枕部の上に誘導して載せるため、手が滑るなどにより誤って使用者の頭部を落としてしまった際には、頸部が頸部嵌合窪みに強く当たって痛みを感じるおそれがあった。
そこで、頸部嵌合窪みに対し、ネックガードとして弾性変形可能なパイプの切れ目部分を差し込み固定していた。
しかし、使用者の頸部は、体格によっても微妙に形状が異なり、全ての使用者に対して満足できるクッションを提供することができず、更に洗髪器の折畳みに伴いネックガードが外れて紛失するおそれもあった。
また、排水管が接続される排水口には、硬質材料からなるパイプが、側周壁の頸部保持部に近い個所に貫通して設けられ、この硬質パイプに排水管の一端を連結しているため、使用後に洗髪器を折畳む際、底布に沿って側周壁と頸部保持部を順次折重ねようとしても、排水口の硬質パイプが頸部保持部に突き当たって薄く折重ねることができず、全体をコンパクトに折畳むことが困難であった。
【０００５】
本発明は、このような問題に対処することを課題とするものであり、補助者の洗髪作業を行い易くすること、傾斜面部を任意角度に傾斜させること、使用者の頸部に応じて調整可能なクッションを提供すること、側周壁と頸部保持壁を薄く折畳むこと、などを目的とするものである。
【課題を解決するための手段】
【０００６】
このような目的を達成するために本発明は、気体の出し入れによって膨脹収縮する気胴壁と、該気胴壁と連続して立設される頸部保持壁と、これら気胴壁及び頸部保持壁の端部に亘って張設される底材とからボウル状の洗髪流し部が形成される折畳み洗髪器であって、前記気胴壁の少なくとも前記頸部保持壁と対向する先端壁部に、該気胴壁の前記底材側から反対側端部に向かって徐々に前記頸部保持壁と離れるように傾斜する傾斜面部を形成したことを特徴とする。
【０００７】
前述した特徴に加えて、前記傾斜面部が、前記洗髪流し部と対向する前記気胴壁の内面側と、該気胴壁の外面側とを、それぞれ別の柔軟シートで形成し、これら柔軟シートを部分的に貼り合わせることで形成されたことを特徴とする。
【０００８】
さらに前述した特徴に加えて、前記頸部保持壁の端部に頸部嵌合窪み部を形成し、該頸部嵌合窪み部に沿って、気体の出し入れにより膨脹収縮する収縮するクッション部を一体形成したことを特徴とする。
【０００９】
さらに前述した特徴に加えて、前記気胴壁の前記頸部保持壁と隣り合う側壁部において排水口部を、前記頸部保持壁から該頸部保持壁の高さ寸法よりも離れた位置に設けたことを特徴とする。
【発明の効果】
【００１０】
前述した特徴を有する本発明は、気体の出し入れによって膨脹収縮する気胴壁と、該気胴壁と連続して立設される頸部保持壁と、これら気胴壁及び頸部保持壁の端部に亘って張設される底材とからボウル状の洗髪流し部が形成される折畳み洗髪器であって、前記気胴壁の少なくとも前記頸部保持壁と対向する先端壁部に、該気胴壁の前記底材側から反対側端部に向かって徐々に前記頸部保持壁と離れるように傾斜する傾斜面部を形成することにより、先端壁部の傾斜面部に沿って補助者が腕を差し込むと、手首の関節を無理に曲げなくても、掌が自然に使用者の側頭部や後頭部と対向するので、補助者の洗髪作業を行い易くすることができる。
その結果、補助者が腕を垂直な先端壁部に沿って差し入れ、手首の関節を略直角近くまで曲げなければ、使用者の頭部の下に手を入れることができない従来のものに比べ、補助者が手首の関節を略直角近くまで曲げなくとも使用者の頭部の下に手を入れることができ、補助者の洗髪作業に伴う負担を大幅に軽減することができる。
さらに、補助者の顔が使用者の顔とある程度の距離を保ちながら洗髪作業が行えるので、使用者が補助者の吐息を感じることなく快適であるとともに、補助者が片手でシャワーなどを持ちながら洗髪を行っても、お湯が使用者の顔にかからぬように調整できて使用勝手が良い。
【００１１】
さらに、前記傾斜面部が、前記洗髪流し部と対向する前記気胴壁の内面側と、該気胴壁の外面側とを、それぞれ別の柔軟シートで形成し、これら柔軟シートを部分的に貼り合わせることで形成された場合には、気胴壁の内面側に用いられる柔軟シートの周方向寸法を、気胴壁の底材側から反対側端部に向かって徐々に長くなるように設定するとともに、それに比べて気胴壁の外面側に用いられる柔軟シートの周方向寸法を更に長くなるように設定することにより、傾斜面部１ｆが所定の傾斜角度で形成されるので、傾斜面部を任意角度に傾斜させることができる。
【００１２】
また、前記頸部保持壁の端部に頸部嵌合窪み部を形成し、該頸部嵌合窪み部に沿って、気体の出し入れにより膨脹収縮する収縮するクッション部を一体形成した場合には、クッション部内に気体を適度に注入して好みの柔らかさに調節することにより、使用者の頸部に対する負担が和らげられるので、使用者の頸部に応じて調整可能なクッションを提供することができる。
その結果、頸部嵌合窪みに対し、ネックガードとして弾性変形可能なパイプの切れ目部分を差し込み固定していた従来のものに比べ、クッション性が向上し、洗髪器の折畳みに伴って紛失する心配がなく、使用勝手が良い。
【００１３】
また、前記気胴壁の前記頸部保持壁と隣り合う側壁部において排水口部を、前記頸部保持壁から該頸部保持壁の高さ寸法よりも離れた位置に設けた場合には、使用後に側周壁と頸部保持壁を底材に沿って順次折重ねたとしても、排水口部が頸部保持壁と当接せずに折畳み可能となるので、側周壁と頸部保持壁を薄く折畳むことができる。
その結果、不使用時には折畳み洗髪器の全体をコンパクトに収納できて持ち運びに便利である。
また、洗髪流し部の中央近くに排水口部が配置されるため、側周壁の頸部保持部近くに排水口が配置される従来のものに比べ、排水効率が向上する。
【図面の簡単な説明】
【００１４】
【図１】本発明の実施形態に係る折畳み洗髪器を示す縦断正面図である。
【図２】使用方法の一例を示す斜視図である。
【図３】使用方法の他の例を示す斜視図である。
【発明を実施するための形態】
【００１５】
以下、本発明の実施形態を図面に基づいて詳細に説明する。
本発明の実施形態に係る折畳み洗髪器Ａは、図１〜図３に示すように、気体の出し入れによって膨脹収縮する気胴壁１と、気胴壁１と連続して立設される頸部保持壁２と、これら気胴壁１及び頸部保持壁２の下端部に亘って張設される底材３とを備え、これら気胴壁１、頸部保持壁２及び底材３から折畳み可能なボウル状の洗髪流し部４を形成している。
気胴壁１及び頸部保持壁２は、洗髪流し部４の側周壁を構成し、底材３は洗髪流し部４の底面を構成している。
【００１６】
洗髪流し部４は、気密性を有する柔軟シート、例えばポリウレタンや塩化ビニル樹脂などの合成樹脂シート、ゴムシート、又は布層の表裏面のいずれか一面若しくは両面に合成樹脂層或いはゴム層を設けた積層構造の所謂ターポリンなどを、後述する気胴壁１、頸部保持壁２又は底材３のパーツ毎にそれぞれ任意の形状に裁断し、これら各パーツの端縁同士を融着又は接着剤による接着などで固着することにより、気密性を有する所望なボウル形状に形成され、その内部には必要に応じて所定量の湯又は水などが貯留可能となっている。
【００１７】
図２及び図３に示される例では、洗髪流し部４のボウル形状を、後述する気胴壁１の平面略Ｕ字状と、後述する頸部保持壁２の平面直線状とが組み合わされた平面略Ｄ字状にしている。
また、その他の例として図示しないが、気胴壁１の平面形状を半円形や半楕円形又は略Ｖ字状に形成したり、頸部保持壁２の平面形状を本発明の実施形態に係る折畳み洗髪器Ａを使用する使用者Ｂの肩と略平行に対向するように略弓形に湾曲形成するなど、これらを組み合わせることで、洗髪流し部４のボウル形状を任意な平面形状にすることも可能である。
【００１８】
気胴壁１は、柔軟シートを筒状に固着してその内部に気胴室１ａが気密状に区画形成され、気胴室１ａの任意個所に設けられる注入口１ｂに対し、ポンプ（図示しない）を接続して、気胴室１ａへ空気などの気体を注入することにより、膨脹変形して折畳み不能になるとともに、注入口１ｂから気胴室１ａ内の空気などの気体を排出することにより、収縮変形して折畳み可能になるようにしている。
注入口１ｂの近傍には、キャップ（図示しない）が一体的に形成され、この閉鎖キャップを注入口１ｂに嵌挿して閉鎖することにより、気胴室１ａ内の空気などの気体が漏れ出ないようにすることが好ましい。
【００１９】
図１〜図３に示される例では、気胴壁１を、上下方向に３つの気胴室１ａが後述する底材３の外周縁に沿ってそれと略平行な周方向へそれぞれ延びるように連続形成され、これら気胴室１ａ同士を連絡路１ｃでそれぞれ部分的に繋ぐことにより、一つ又は複数の注入口１ｂから注入される空気などの気体が全ての気胴室１ａに行き渡るとともに、全ての気胴室１ａ内から空気などの気体が一つ又は複数の注入口１ｂから排出されるようにしている。
また、その他の例として図示しないが、気胴壁１を、上下方向に２つ以下又は４つ以上の気胴室１ａを底材３の外周縁に沿って周方向へそれぞれ延びるように連続形成したり、底材３と交差する方向に延びる気胴室を底材３の外周縁に沿って周方向へ多数連続形成することも可能である。
【００２０】
そして、気胴壁１は、後述する頸部保持壁２と対向する先端壁部１ｄと、この先端壁部１ｄから頸部保持壁２へ向け延びて隣り合う一対の側壁部１ｅとを有し、これら先端壁部１ｄ及び側壁部１ｅの両方又は先端壁部１ｄのみに、気胴壁１の底材３側に配置される下端部からその反対側に配置される上端部に向かって徐々に頸部保持壁２と離れるように傾斜する傾斜面部１ｆを形成している。
傾斜面部１ｆは、気胴壁１の洗髪流し部４と対向する内面側とその反対側の外面側とを、それぞれ別の柔軟シート１ｇ，１ｈで構成し、これら柔軟シート１ｇ，１ｈを部分的に貼り合わせることで形成される。
つまり、気胴壁１の内面側に用いられる柔軟シート１ｇ、すなわち気胴室１ａの内面側を構成する柔軟シート１ｇの周方向寸法を、気胴壁１の底材３側の下端部からその反対側の上端部に向かって徐々に長くなるように設定するとともに、それに比べて気胴壁１の外面側に用いられる柔軟シート１ｈ、すなわち気胴室１ａの外面側を構成する柔軟シート１ｈの周方向寸法を更に長くなるように設定することで、傾斜面部１ｆが所定の傾斜角度で形成される。
【００２１】
頸部保持壁２は、例えば木製、硬質樹脂製などの硬質板を芯材２ａと、その内外面に沿ってそれぞれ配置される柔軟シート２ｂとを備え、これら柔軟シート２ｂの端縁同士を融着又は接着剤による接着などで固着することにより、芯材２ａが気密状に覆われるものである。
頸部保持壁２の長手方向中央で上端部には、頸部嵌合窪み部２ｃが凹状に所望深さで形成され、この頸部嵌合窪み部２ｃに沿って、気体の出し入れにより膨脹収縮するクッション部２ｄを形成することが好ましい。
【００２２】
底材３は、前述した頸部保持壁２と同様に、例えば木製、硬質樹脂製などの硬質板を芯材３ａと、その内外面に沿ってそれぞれ配置される柔軟シート３ｂを備え、これら柔軟シート３ｂの端縁同士を融着又は接着剤による接着などで固着することにより、芯材３ａが気密状に覆われるものである。
底材３の上面には、頸部保持壁２の頸部嵌合窪み部２ｃと対応するように、例えば面ファスナーなどからなる位置決め係止部３ｃを設け、この位置決め係止部３ｃに対し枕部５を着脱自在に取り付けている。
図１に示される例では、枕部５を９０度回転して取り付けることにより、高低の２段階で高さ調整可能にしている。
【００２３】
また、気胴壁１の下端部或いは底材３には、排水管Ｂが接続される排水口部６を設けて、洗髪流し部４内の湯又は水を、本発明の実施形態に係る折畳み洗髪器Ａとは別に用意した汚水収容部（図示しない）や他の排水設備などに排水可能にすることが好ましい。
【００２４】
このような折畳み洗髪器Ａによると、図１及び図２に示される使用例のように、気胴壁１の膨脹によってボウル状となった洗髪流し部４を、寝ている状態の使用者（横臥者）Ｐの頭部下位に差し込み、頸部保持壁２の頸部嵌合窪み部２ｃが、使用者Ｐの頸部に嵌るように位置決めし、使用者Ｐの頭部を枕部５によって支持する。
この状態で、補助者が腕Ｈ１を先端壁部１ｄの傾斜面部１ｆに沿って差し込むと、手首の関節Ｈ２を無理に曲げなくても、掌Ｈ３が自然に使用者Ｐの側頭部Ｐ１や後頭部Ｐ２と対向して容易に接触可能となる。
それにより、補助者は使用者Ｐの顔Ｐ３とある程度の距離を保ちつつ、無理な姿勢になることなく洗髪作業が容易に行える。
【００２５】
また、図３に示される使用例のように、補助者が一方の片手Ｈ４でシャワーＣなどを持ちながら他方の片手Ｈ５のみで洗髪を行っても、他方の腕Ｈ１を先端壁部１ｄの傾斜面部１ｆに沿って差し込むと、手首の関節Ｈ２を無理に曲げなくても、掌Ｈ３が自然に使用者Ｐの側頭部Ｐ１や後頭部Ｐ２と対向して容易に接触可能となる。
それにより、シャワーＣなどからのお湯が使用者の顔Ｐ３にかからぬように容易に調整できる。
次に、本発明の一実施例を説明する。
【実施例】
【００２６】
この実施例は、図１〜図３に示すように、折畳み洗髪器Ａが、平面略Ｕ字状に形成された気胴壁１において頸部保持壁２と対向する先端壁部１ｄのみに傾斜面部１ｆを形成し、頸部保持壁２と隣り合う一対の側壁部１ｅが底材３の上面に対して略垂直に立ち上げられるとともに、頸部嵌合窪み部２ｃに沿って、気体の出し入れにより膨脹収縮するクッション部２ｄが一体形成され、気胴壁１の下端部に排水口部６が設けられる場合を示すものである。
【００２７】
クッション部２ｄは、前述した気胴壁１と同様に、柔軟シート２ｂを筒状に固着してその内部に気室２ｅが気密状に区画形成され、気室２ｅの任意個所に設けられる注入口（図示しない）に対し、ポンプ（図示しない）を接続して、気室２ｅへ空気などの気体を注入することにより、膨脹変形して弾性変形可能になるとともに、該注入口から気胴室２ｅ内の空気などの気体を排出することにより、収縮変形して折畳み可能になるようにしている。
【００２８】
排水口部６は、気胴壁１において頸部保持壁２と隣り合う一対の側壁部１ｅの両方又はいずれか一方の下端部に設けられ、硬質材料からなるパイプ６ａと、この硬質パイプ６ａを気胴壁１の内側から着脱自在に覆うキャップ６ｂとを備えている。
排水口部６の硬質パイプ６ａは、側壁部１ｅにおいて、頸部保持壁２から該頸部保持壁２の高さ寸法よりも離れた位置に、洗髪流し部４の外部へ向けて突出するように設けられ、その突出する部分には、排水管Ｂの一端が接続されている。
排水管Ｂの他端には、汚水収容部（図示しない）などが着脱自在に連結される。
【００２９】
また、頸部保持壁２の内面には、使用者Ｐの肩から胸に亘って掛けられるエプロンＤを着脱自在に係止するための、例えば面ファスナーなどからなる係止部２ｆが設けられている。
【００３０】
次に、斯かる折畳み洗髪器Ａの使用方法について説明する。
先ず、気胴壁１に空気などを注入して、洗髪流し部４が所定のボウル状となるように膨らませ、クッション部２ｄにも空気などを注入して膨らませる。
このような洗髪流し部４には、底材３の位置決め係止部３ｃに枕部５が取り付けられ、頸部保持壁２の係止部２ｆにエプロンＤの端部が取り付けられる。
排水口部６の硬質パイプ６ａには、排水管Ｂの一端を接続し、他端を汚水収容部（図示しない）などに連結し、排水管Ｂを接続した側の硬質パイプ６ａからキャップ６ｂを開ける。
【００３１】
一方、使用者Ｐが寝ている布団（図示しない）の上には、頭部の下に防水シート（図示しない）を敷く。
そして、補助者は、使用者Ｐの頭部を持ち上げてから、防水シートの上に折畳み洗髪器Ａを差し込み、枕部５の中央に頭部を載せて、エプロンＤを使用者Ｐの胸に掛ける。
この際、使用者Ｐの頭部に合わせて枕部５を最適な高さに調整し、頸部が当接するクッション部２ｄ内に注入された空気などを適度に抜くか、又は注入し直すことで、クッション部２ｄを好みの柔らかさに調節することができ、それにより使用者Ｐの頸部に対する負担が和らげられる。
【００３２】
この状態で、補助者は、前述した図２又は図３に示される使用例のように洗髪作業を行う。
洗髪によって生じた汚水は、洗髪流し部４内から排水口部６の硬質パイプ６ａ及び排水管Ｂを経て汚水収容部に収容される。
洗髪が終わった後は、排水口部６の硬質パイプ６ａをキャップ６ｂで閉じ、汚水収容部内の汚水を捨てるとともに、気胴壁１及びクッション部２ｄから空気などを抜いて折畳む。
この際、側周壁１ｂの側壁部１ｅにおいて、排水口部６の硬質パイプ６ａを、頸部保持壁２から該頸部保持壁２の高さ寸法よりも離れた位置に配置しているため、底材３に沿って側周壁１ｂと頸部保持壁２を順次折重ねたとしても、排水口部６の硬質パイプ６ａが頸部保持壁２と当接せず、薄く折畳むことができる。
それにより、不使用時には折畳み洗髪器Ａの全体をコンパクトに収納できる。
【００３３】
また、この実施例では、折畳み洗髪器Ａが、平面略Ｕ字状に形成された気胴壁１と、平面直線状の頸部保持壁２とを平面略Ｄ字状に連結し、気胴壁１において頸部保持壁２と対向する先端壁部１ｄのみに傾斜面部１ｆを形成するとともに、頸部保持壁２と隣り合う一対の側壁部１ｅのみを底材３の上面に対して略垂直に立ち上げている。
それにより、空気などの注入により気胴壁１が膨張した使用時には、気胴壁１の側壁部１ｅと頸部保持壁２との境界部分がコーナー部となり、気胴壁１及びクッション部２ｄから空気などを抜いて折畳む時には、傾斜面部１ｆが形成される先端壁部１ｄの周方向途中から折畳まれ、これら使用時のコーナー部と折畳み時の折り目線が位置ズレして配置される。
【００３４】
これに対し、例えば実用新案登録第２５９２８８６号公報に記載されるような従来周知の折畳み洗髪器は、平面略Ｕ字状の気胴壁と平面直線状の頸部保持壁とを底材の上面に対し略垂直に立ち上げて平面略Ｄ字状に形成され、気胴壁が膨張した使用時には気胴壁と頸部保持壁の境界部分がコーナー部となり、気胴壁の折畳み時には該コーナー部が折り目線となって両者が一致する。
それにより、使用時と折畳み時において同じ個所に集中して負荷がかかって擦れるため、時間経過により擦り切れて穴が開くおそれがあった。
しかし、前述した実施例では、使用時のコーナー部と折畳み時の折り目線が位置ズレして配置されるため、一個所に集中して負荷がかからず、長期に亘って使用しても一部が擦り切れ難くなり、従来周知の折畳み洗髪器に比べて寿命を延ばすことができて経済的であるという利点がある。
【００３５】
なお、前示実施例では、頸部嵌合窪み部２ｃに沿って、気体の出し入れにより膨脹収縮するクッション部２ｄが一体形成され、気胴壁１の下端部に排水口部６が設けられる場合を示したが、これに限定されず、頸部嵌合窪み部２ｃに沿って弾性変形可能な材料からなるネックガードを装着したり、底材３に排水口部６を設けても良い。
【符号の説明】
【００３６】
１  気胴壁                      １ｄ  先端壁部
１ｅ  側壁部                    １ｆ  傾斜面部
１ｇ，１ｈ  柔軟シート          ２  頸部保持壁
２ｃ  頸部嵌合窪み部            ２ｄ  クッション部
３  底材                        ４  洗髪流し部
【図１】
2011062293.tif 000003
【図２】
2011062293.tif 000004
【図３】
2011062293.tif 000005